(57)【要約】【課題】周囲の明るさの変化にかかわらず、好ましい表示品位、視認性を有した表示装置を提供する。【解決手段】  表示装置は、主走査方向及び副走査方向に沿ってマトリックス状に配列された複数の画素を有する表示パネルと、所定点滅回数のダイナミックスキャン方式下において画素を点滅させることにより、表示パネルに画像を表示する表示制御部とを有する。更に表示装置は、外部から画像の表示データ及び周囲の明るさデータを受領し、表示制御部に送るメイン制御部と、周囲の明るさデータに基づき、所定点滅回数を制御する表示回数制御部とを備える。【選択図】図１
2006235231.tif 000002
【特許請求の範囲】
【請求項１】
主走査方向及び副走査方向に沿ってマトリックス状に配列された複数の画素を有する表示パネルと、
所定点滅回数のダイナミックスキャン方式下において前記画素を点滅させることにより、前記表示パネルに画像を表示する表示制御部と、
外部から前記画像の表示データ及び周囲の明るさデータを受領し、前記表示制御部に送るメイン制御部と、
前記周囲の明るさデータに基づき、前記所定点滅回数を制御する表示回数制御部と、を備えた表示装置。
【請求項２】
前記表示回数制御部が、
前記表示制御部から既存の前記所定点滅回数を取得する表示データカウンタと、
前記表示データカウンタから前記所定点滅回数に対応した表示回数データ及び前記表示制御部から前記周囲の明るさデータを取得し、既存の表示回数データを更新すべきか否かを決定する表示回数判定部を有する、請求項１に記載の表示装置。
【請求項３】
前記表示回数データは、前記画像が一画素分移動する時間において、前記画像の一部を表示する前記所定画素に対し、前記表示データに対応する信号パルスが印加される回数に対応した、請求項２に記載の表示装置。
【請求項４】
前記表示回数制御部は、周囲の明るさが大きいほど前記所定点滅回数を増加させ、周囲の明るさが小さいほど、前記所定点滅回数を減少させる、請求項１から請求項３のいずれか１項に記載の表示装置。
【請求項５】
前記表示回数制御部は、予め設定された表示画像のスクロールスピードに対応した設定スクロールスピードデータを有し、前記明るさデータ及び前記設定スクロールスピードデータに基づき、前記所定点滅回数を制御する、請求項２から請求項４のいずれか１項に記載の表示装置。
【請求項６】
前記表示回数制御部が前記メイン制御部内に設けられた、請求項１から請求項５のいずれか１項に記載の表示装置。
【請求項７】
前記各画素がＬＥＤ素子によって構成された、請求項１から請求項６のいずれか１項に記載の表示装置。
【請求項８】
主走査方向及び副走査方向に沿ってマトリックス状に配列された複数の画素を有する表示パネルを備えた表示装置の制御方法であって、
所定点滅回数のダイナミックスキャン方式下において、前記表示パネルの前記画素を駆動し、
外部から画像の表示データ及び周囲の明るさデータを受領し、
前記周囲の明るさデータに基づき、前記所定点滅回数を制御する工程を備えた、表示装置の制御方法。
【請求項９】
主走査方向及び副走査方向に沿ってマトリックス状に配列された複数の画素を有する表示パネルを備えた表示装置を制御するプログラムであって、当該プログラムが、
所定点滅回数のダイナミックスキャン方式下において、前記表示パネルの前記画素を駆動する処理と、
外部から画像の表示データ及び周囲の明るさデータを受領する処理と、
前記周囲の明るさデータに基づき、前記所定点滅回数を制御する処理とを備えた、表示装置の制御プログラム。
【請求項１０】
主走査方向及び副走査方向に沿ってマトリックス状に配列された複数の画素を有する表示パネルと、
所定点滅回数のダイナミックスキャン方式下において前記画素を点滅させることにより、前記表示パネルに画像を表示する表示制御部と、
外部から前記画像の表示データと周囲の明るさデータ及び前記画像の設定スクロールスピードを受領し、前記表示制御部に送るメイン制御部と、
前記周囲の明るさに基づき、前記設定スクロールスピードを制御する表示回数制御部とを備えた表示装置。
【請求項１１】
前記表示回数制御部が、
前記表示制御部から前記設定スクロールスピードに対応した設定スクロールスピードデータを取得する設定スクロールスピードテーブルと、
前記表示制御部から前記周囲の明るさデータ及び前記設定スクロールスピードテーブルから前記設定スクロールスピードデータを取得し、前記設定スクロールスピードデータを更新すべきか否かを決定する表示回数判定部とを有する、請求項１０に記載の表示装置。
【請求項１２】
前記表示回数制御部は、周囲の明るさが大きいほど前記設定スクロールスピードを増加させ、周囲の明るさが小さいほど、前記設定スクロールスピードを減少させる、請求項１０又は請求項１１のいずれか１項に記載の表示装置。
【請求項１３】
前記表示回数制御部が前記メイン制御部内に設けられた、請求項１０から請求項１２のいずれか１項に記載の表示装置。
【請求項１４】
前記各画素がＬＥＤ素子によって構成された、請求項１０から請求項１３のいずれか１項に記載の表示装置。
【請求項１５】
主走査方向及び副走査方向に沿ってマトリックス状に配列された複数の画素を有する表示パネルを備えた表示装置の制御方法であって、
所定点滅回数のダイナミックスキャン方式により、前記表示パネルの前記画素を駆動し、
外部から画像の表示データと周囲の明るさデータ及び設定スクロールスピードを受領し、
前記周囲の明るさデータに基づき、前記設定スクロールスピードを制御する工程を備えた、表示装置の制御方法。
【請求項１６】
主走査方向及び副走査方向に沿ってマトリックス状に配列された複数の画素を有する表示パネルを備えた表示装置を制御するプログラムであって、当該プログラムが、
所定点滅回数のダイナミックスキャン方式により、前記表示パネルの前記画素を駆動する処理と、
外部から画像の表示データと周囲の明るさデータ及び設定スクロールスピードを受領する処理と、
前記周囲の明るさデータに基づき、前記設定スクロールスピードを制御する処理とを備えた、表示装置の制御プログラム。
【発明の詳細な説明】
【技術分野】
【０００１】
本発明は、表示装置及び表示方法、特にマトリックス状に配置された画素を有する表示装置及び当該表示装置の制御方法に関する。
【背景技術】
【０００２】
文字やその他の情報を表示する装置として、マトリックス状に配置された画素（ドット）を有する表示装置が知られている。このような表示装置は、例えば画素にＬＥＤを用い、各画素について点灯・非点灯、色の変更を行い画像を表示する。
【０００３】
図５は、ドットマトリックス表示装置の代表例として、駆動方法としてダイナミックスキャン方式を用いたＬＥＤ表示装置１の構成を示している。ＬＥＤ表示装置１は、メイン制御部７と、表示制御部２と、ワークメモリ８と、表示用メモリ９と、ダイナミックスキャン回路３と、表示ドライブ制御回路４と、表示パネル６とを有する。
【０００４】
表示制御部２は、表示走査制御部１０、表示データ制御部１１、輝度制御部１２を有する。表示走査制御部１０からダイナミックスキャン回路３へ走査信号を供給する。表示データ制御部１１はワークメモリ８から転送されてくる表示データを表示用メモリ９へ格納する。また、表示用メモリ９に格納された表示データを表示ドライブ制御回路４へ供給する。輝度制御部１２は、メイン制御部７のＡ／Ｄ変換部１３の信号を受けて、表示ドライブ制御回路４へ変換された明るさ情報を供給する。
【０００５】
メイン制御部７は、外部Ｉ／Ｆ（インターフェース）１４から表示パネル６に表示されるべき画像の表示データが入力されるとワークメモリ８に展開し、表示修飾等の処理が行われ表示制御部２の表示データ制御部１１へ転送する。また、ＬＥＤ表示装置のＬＥＤ画面の輝度を制御する為の外光センサー１５から周囲の明るさ情報が入力されると、Ａ／Ｄ変換部１３で周囲の明るさを信号変換し、表示ドライブ制御回路４へ供給する。
【０００６】
表示パネル６は、画素となるＬＥＤ素子５が行方向および列方向にそれぞれ複数個ずつ配列されている。例えば１６列×１６行にわたってＬＥＤ素子５が配列されている。
【０００７】
ダイナミックスキャン回路３は、主走査線を介して表示パネル６の列方向に配列された複数個のＬＥＤ素子５に順次的に設定された電圧を印加する走査動作を数十〜数百ＨＺの周波数で繰り返し行う。
【０００８】
表示ドライブ制御回路４は、表示制御部２から供給された表示データおよび制御信号に基づいて、行方向に配列されるＬＥＤ素子５の何れかに電圧を印加するかを定め、走査周波数に同期して副走査線を介して順次電圧を印加する。ダイナミックスキャン回路３によって印加されているＬＥＤ素子５に、表示データ制御部１１から表示データが供給されることによって、そのＬＥＤ素子５が点灯することになる。
【０００９】
このような走査動作を繰り返し行うと、残像現象によって人間の目には所定の文字や絵が画像として表示されるように見える。
【００１０】
【特許文献１】特開平９―３２５７２９号公報
【発明の開示】
【発明が解決しようとする課題】
【００１１】
図６は、上述したＬＥＤ表示装置１において、表示パネル６に文字「正」が表示された際に生ずる残像現象を示したものである。
【００１２】
すなわち、黒丸で表示された部分２１は実際に各ＬＥＤ素子５が点灯している箇所を示している。そしてＬＥＤ素子５間の実際に点灯する素子がない部分においても、淡色の丸２０で示されたように、人間の目には、残像現象によりあたかも素子の点灯がなされているように見える。これにより、見かけ上の文字のにじみ、すなわち画素の膨らみが生じ、表示品位が低下する。
【００１３】
上述の現象は、昼間等周囲が明るい状況下では、輝度的には大きいため視認性が向上し、好ましいことが多い。しかしながら、夜間等のように周囲が暗い条件下においては、文字がにじむため表示品位が低下することが多い。
【００１４】
また、従来から周囲が暗い条件下においては、外光センサー等の明るさの検知に基づき、パネル全体の輝度を自動的に落とす装置は存在する。例えば昼間の輝度を１００％とした場合、夜間の輝度を２５〜４０％にする。しかしながらこの装置においては単に全体の輝度を落とすだけのため、人間の目における残像現象の膨らみを持った見え方は依然として残り、視認性においてやはり問題がある。
【００１５】
また、スクロールスピードに応じて表示回数（点滅回数）を変更する技術は、特許文献１において提案されているが、上述の様な周囲の明るさの変化に対応して、画像の膨らみ、にじみを調整する技術は提案されていない。
【００１６】
本発明は、周囲の明るさの変化にかかわらず、好ましい表示品位、視認性を有した表示装置を提供する。更に好ましい表示品位を達成するための表示装置の制御方法、表示装置を制御するプログラムを記録したコンピュータ読み取り可能な記録媒体をも提供する。
【課題を解決するための手段】
【００１７】
本発明の第一の観点による表示装置は、主走査方向及び副走査方向に沿ってマトリックス状に配列された複数の画素を有する表示パネルと、所定点滅回数のダイナミックスキャン方式下において前記画素を点滅させることにより、表示パネルに画像を表示する表示制御部と、外部から画像の表示データ及び周囲の明るさデータを受領し、表示制御部に送るメイン制御部と、周囲の明るさデータに基づき、所定点滅回数を制御する表示回数制御部とを備える。
【００１８】
表示回数制御部が、表示制御部から既存の所定点滅回数を取得する表示データカウンタと、表示データカウンタから所定点滅回数に対応した表示回数データ及び表示制御部から周囲の明るさデータを取得し、既存の表示回数データを更新すべきか否かを決定する表示回数判定部を有するのが好ましい。ここで、表示回数データは、画像が一画素分移動する時間において、画像の一部を表示する所定画素に対し、表示データに対応する信号パルスが印加される回数に対応し得る。
【００１９】
表示回数制御部は、周囲の明るさが大きいほど所定点滅回数を増加させ、周囲の明るさが小さいほど、所定点滅回数を減少させることが好ましい。
【００２０】
表示回数制御部は、予め設定された表示画像のスクロールスピードに対応した設定スクロールスピードデータを有し、明るさデータ及び設定スクロールスピードデータに基づき、所定点滅回数を制御する構成とすることもできる。
【００２１】
また、本発明は、主走査方向及び副走査方向に沿ってマトリックス状に配列された複数の画素を有する表示パネルを備えた表示装置の制御方法であって、所定点滅回数のダイナミックスキャン方式下において、表示パネルの画素を駆動し、外部から画像の表示データ及び周囲の明るさデータを受領し、周囲の明るさデータに基づき、所定点滅回数を制御する工程を備えた表示装置の制御方法をも提供する。
【００２２】
さらに本発明は、主走査方向及び副走査方向に沿ってマトリックス状に配列された複数の画素を有する表示パネルを備えた表示装置を制御するプログラムであって、  所定点滅回数のダイナミックスキャン方式下において、表示パネルの画素を駆動する処理と、外部から画像の表示データ及び周囲の明るさデータを受領する処理と、周囲の明るさデータに基づき、所定点滅回数を制御する処理とを備えた表示装置の制御プログラムをも提供する。
【００２３】
本発明の第二の観点による表示装置は、主走査方向及び副走査方向に沿ってマトリックス状に配列された複数の画素を有する表示パネルと、所定点滅回数のダイナミックスキャン方式により、前記表示パネルに画像を表示する表示制御部と、外部から画像の表示データと周囲の明るさデータ及び画像の設定スクロールスピードを受領し、表示制御部に送るメイン制御部と、周囲の明るさに基づき、設定スクロールスピードを制御する表示回数制御部とを備える。
【００２４】
表示回数制御部が、表示制御部から設定スクロールスピードに対応した設定スクロールスピードデータを取得する設定スクロールスピードテーブルと、表示制御部から周囲の明るさデータ及び設定スクロールスピードテーブルから設定スクロールスピードデータを取得し、設定スクロールスピードデータを更新すべきか否かを決定する表示回数判定部とを有してもよい。
【００２５】
表示回数制御部は、周囲の明るさが大きいほど設定スクロールスピードを増加させ、周囲の明るさが小さいほど、設定スクロールスピードを減少させる構成としてもよい。
【００２６】
また、本発明は、主走査方向及び副走査方向に沿ってマトリックス状に配列された複数の画素を有する表示パネルを備えた表示装置の制御方法であって、所定点滅回数のダイナミックスキャン方式により、表示パネルの画素を駆動し、外部から画像の表示データと周囲の明るさデータ及び設定スクロールスピードを受領し、周囲の明るさデータに基づき、設定スクロールスピードを制御する工程を備えた表示装置の制御方法をも提供する。
【００２７】
さらに本発明は、主走査方向及び副走査方向に沿ってマトリックス状に配列された複数の画素を有する表示パネルを備えた表示装置を制御するプログラムであって、当該プログラムが、  所定点滅回数のダイナミックスキャン方式により、表示パネルの画素を駆動する処理と、外部から画像の表示データと周囲の明るさデータ及び設定スクロールスピードを受領する処理と、周囲の明るさデータに基づき、設定スクロールスピードを制御する処理とを備えた表示装置の制御プログラムをも提供する。
【００２８】
上述の表示装置において、表示回数制御部は、メイン制御部内に設けることもできる。また、各画素をＬＥＤ素子によって構成することが可能である。
【発明の効果】
【００２９】
本発明においては、設定スクロールスピードに応じ、画素表示の膨らみを制御することが可能であり、表示品位の向上を図ることが可能となる。また、昼から夜にかけてアナログ的に変化する周囲の明るさにこまやかに対応し、最適な表示視認性を得ることが可能となる。
【発明を実施するための最良の形態】
【００３０】
以下、本発明に係る実施の形態について、添付図面を参照しながら詳細に説明する。
【００３１】
図１は、本発明の表示装置の内部構成を示すブロック図である。本発明の表示装置３０は、メイン制御部７と、表示制御部２と、ワークメモリ８と、表示用メモリ９と、ダイナミックスキャン回路３と、表示ドライブ制御回路４と、表示パネル６とを備える。
【００３２】
表示制御部２は、表示走査制御部１０、表示データ制御部１１、輝度制御部１２を有する。表示走査制御部１０からダイナミックスキャン回路３へ走査信号を供給する。表示データ制御部１１はワークメモリ８から転送されてくる画像の表示データを表示用メモリ９へ格納する。また、表示用メモリ９に格納された表示データを表示ドライブ制御回路４へ供給する。輝度制御部１２は、メイン制御部７のＡ／Ｄ変換部１３の信号を受けて、表示ドライブ制御回路４へ変換された明るさ情報を供給する。輝度制御部１２は表示パネル６の全体輝度を調整する役割を有する。
【００３３】
メイン制御部７は、一般的なＣＰＵによって構成され、ＰＣ等外部装置から外部Ｉ／Ｆ（インターフェース）１４を介して、表示パネル６に表示されるべき文字、その他の画像を表示するための表示データを受領する。受領した表示データをワークメモリ８に展開し、表示修飾等の処理が行われ表示制御部２の表示データ制御部１１へ転送する。
【００３４】
また、メイン制御部はＡ／Ｄ変換部１３有する。Ａ／Ｄ変換部１３は外光センサー１５で検知した周囲の明るさのアナログデータ信号を受領し、デジタルデータ信号に変換して、表示制御部２の輝度制御部１２へ供給する。そして、上述の様に、周囲の明るさのデータを表示ドライブ制御回路４へ供給する。この操作により、表示パネル６の輝度を制御する。輝度制御部１２は、各ＬＥＤ素子のデューティ（点滅時間）を一律に調整するものであり、後述する本発明の輝度制御、すなわち、周囲の明るさに応じた点滅回数（表示回数）の制御により輝度を変化させるものとは異なる。
【００３５】
表示パネル６は、画素となるＬＥＤ素子５が行方向および列方向にそれぞれ複数個ずつ配列されている。例えば１６列×１６行にわたってＬＥＤ素子５が配列されている。そしてこの一枚が一文字の表示に対応している。通常このパネルを縦横、または横若しくは縦のみに複数枚並べ、文字をスクロールさせて情報を表示するがその並べ方は任意である。
【００３６】
ダイナミックスキャン回路３は、主走査線を介して表示パネル６の列方向（主操作方向）に配列された複数個のＬＥＤ素子５に行毎に順次設定された電圧を印加する走査動作を数十〜数百ＨＺの周波数で繰り返し行う。
【００３７】
表示ドライブ制御回路４は、表示制御部２から供給された表示データおよび制御信号に基づいて、行方向（副走査方向）に配列されるＬＥＤ素子５の何れかに電圧を印加するかを定め、走査周波数に同期して副走査線を介して順次選択的に電圧を印加する。ダイナミックスキャン回路３によって印加されているＬＥＤ素子５に、表示データ制御部１１から表示データが供給されることによって、そのＬＥＤ素子５が点灯することになる。
【００３８】
すなわち、ダイナミックスキャン方式とは、主走査方向に延びた任意のＬＥＤ素子（画素）列の一つないしそれ以上を、副走査方向に順次選択する動作を所定点滅回数（所定間隔）で繰り返し、それに同期して選択されたＬＥＤ素子列内のＬＥＤ素子を選択的に駆動する動作である。駆動されたＬＥＤ素子により、文字、図形等の画像が表示される。所定点滅回数とは、所定の単位時間に一つのＬＥＤ素子（画素）が点滅する回数をいう。
【００３９】
このような走査動作を繰り返し行うと、残像現象によって人間の目には所定の文字や絵が画像として表示されるように見える。
【００４０】
尚、表示制御部２は、ダイナミックスキャン回路３、表示ドライブ制御回路４を介して、ダイナミックスキャン方式に基づく表示パネル６の表示制御を間接的に行う。従って、表示制御部２、ダイナミックスキャン回路３、表示ドライブ制御回路４をまとめて広義の「表示制御部」と解することができる。もちろん、表示パネル６をダイナミックスキャン方式に基づいて制御できるものであれば、この構成に限定はされない。
【００４１】
そして、本発明の表示装置３０におけるメイン制御部７は表示回数制御部３１を有する。表示回数制御部３１は、周囲の明るさデータテーブル３２と、表示データカウンタ３３と、設定スクロールスピードテーブル３４と、表示データ更新フラグ付与部３５と、表示回数判定部３６とから構成される。
【００４２】
表示データ制御部１１から表示ドライブ制御回路４へ、表示パネル６の一画像表示に対応する表示データが、表示パネル６の走査周波数で供給される。そして、表示データ制御部１１は、供給された表示データに対応した割り込み信号を表示回数制御部３１内の表示データカウンタ３３へ出力する。すなわち、割り込み信号の数は、所定周期下（スクロールスピード）での、ある特定のドット（画素）への書き込み回数に対応する。表示データカウンタ３３は、この書き込み回数を表示回数データ（点滅回数データ）Ｄ１としてカウントする。すなわち、表示回数データＤ１は、画像が一画素分移動する時間において、画像の一部を表示する所定ＬＥＤ画素５に対し、表示データに対応する信号パルスが印加される回数である。
【００４３】
また、本表示装置３０は、装置のタイプ毎等に応じて、予め設定されたスクロールスピードを、表示回数制御部３１内の設定スクロールスピードテーブル３４に、設定スクロールスピードデータＤ２としてテーブル化する。スクロールスピードの設定は外部からＰＣ等を用いて行なったり、設定プログラムを記録した記録媒体を交換可能な媒体交換部を予め表示装置に設けておく等、その方法は自由である。
【００４４】
さらに、上述の様にＡ／Ｄ変換部１３にてデジタル変換された周囲の明るさのデータは、表示回数制御部３１の周囲の明るさデータテーブル３２に供給され、明るさデータＤ３としてテーブル化される。
【００４５】
上述の様に、周囲の明るさデータテーブル３２、表示データカウンタ３３、設定スクロールスピードテーブル３４各々にて処理された表示回数データＤ１、設定スクロールスピードデータＤ２、明るさデータＤ３の三つの情報は、表示回数判定部３６に送られる。
【００４６】
表示回数判定部３６は、後述する表示回数（点滅回数）の更新を行うと、更新された表示回数を表示データ更新フラグ付与部３５に供給する。表示データ更新フラグ付与部３５が表示データ更新フラグをセットすることで、表示回数データが更新され、ワークメモリ８へ格納される。
【００４７】
図２は１ドット間の画像スクロール時における、点灯した１画素（１ドット）の見え方を模式的に示した図である。ＬＥＤ素子５０、ＬＥＤ素子５１は、表示パネル６上のＬＥＤ素子５中の、特定の物理的な二つのＬＥＤ素子を示すものである。すなわち、ＬＥＤ素子５０、ＬＥＤ素子５１は現実に存在して点灯するものであり、互いに隣接して表示パネル６上に配置されている。
【００４８】
この物理的なＬＥＤ素子５０，５１の点灯を、上述のダイナミックスキャン方式下、ｔ時間のスクロールスピードで１ドット移動方向Ａに沿って移動させる。すなわち、所定の画像（例では「正」の文字）中の所定部分の表現に対応した点灯箇所が、ＬＥＤ素子５０から、ＬＥＤ素子５１に移動する。この間においてＬＥＤ素子５０は所定走査周波数において点滅している。そしてこの点滅により、点線部５０ａ，５０ｂ，・・・・５０ｎで示されている擬似パルス点灯スポット（残像）が、人間の目に見える残像現象となる。点線部５０ａ，５０ｂ，・・・・５０ｎは現実に存在する画素ではない点に注意する。
【００４９】
図２の残像５０ａ，５０ｂ，・・・・５０ｎの数が多いと、残像現象のためＬＥＤ素子５０の点灯が見かけ上膨らんだようになり、次の素子５１の点灯へ連続的につながったように見える傾向が発生する。この結果、画像全体の輝度が高まるため、表示装置３０の周囲が明るい場合は、視認性がよくなる効果をもたらす。一方、周囲が暗いと一画素によるスクロール画像が次の（隣の）画素により表示されるスクロール画像と見かけ上連続的につながったようになりやすいため、表示品位が劣化する。従って、表示回数（点滅回数）が多い制御は昼間には効果的であるが、夜間は避けるべきである。
【００５０】
一方、図２の残像５０ａ，５０ｂ，・・・・５０ｎの数が少ないと、残像現象は低下するため、上述したＬＥＤ素子５０の点灯の見かけ上の膨らみが減少し、次の素子５１の点灯との見かけ上の連続性は減少する。この結果、画像全体の輝度は減少するため、表示装置３０の周囲が明るい場合は、表示画像の視認性は減少する。一方、周囲が暗いと一画素によるスクロール画像と次の画素によるスクロール画像との見かけ上の連続性、ひいてはスクロール画像のにじみが減少するため、表示品位は向上する。従って、表示回数（点滅回数）が少ない制御は昼間は避けるべきであるが、夜間には効果的である。
【００５１】
夕方時等、明るさが昼間と夜間の中間の場合は、上述の中間の制御が好ましい。
【００５２】
そして、表示回数制御部３１の表示回数判定部３６は、表示回数データＤ１、設定スクロールスピードデータＤ２、明るさデータＤ３の三つの情報を判定することで、上述の制御を達成する。すなわち、データＤ２、Ｄ３に基づき、表示回数データＤ１を更新すべきか否かを判定する。図３は、上述の設定スクロールスピードデータＤ２、明るさデータＤ３に応じて、表示回数データＤ１を変更した場合の、点灯状況及び画素の見え方を模式的に示した図である。
【００５３】
図３（ａ）のようにｔ時間のスクロールスピード（１ドット移動時間）で、点灯画素がＬＥＤ素子５０からＬＥＤ素子５１に移動する。
【００５４】
そして、表示装置３０の周囲が比較的明るい場合、図３（ｂ１）のように、１ドット移動時間ｔにおいて、ｎ回ＬＥＤ素子５０へのデータ書き込みが行われ、次のドットへ実際の点灯を移動する制御が行われる。点線表示の１，２，・・・ｎは点滅のためのパルス信号に対応し、これは表示データの点滅に対応する。図３（ａ）の左から右への時間経過に対応して、パルス信号１，２，・・・ｎが入力されていく状況が示されている。実際の残像を引き起こす擬似点灯は右から左に発生する。
【００５５】
このとき、図３（ｂ２）のように、ＬＥＤ素子５０の点灯が、ＬＥＤ素子５１の点灯と連続的につながったように見えるため、画像全体の輝度が向上し、画像の視認性が向上する。図３（ｂ２）ではＬＥＤ素子５０，５１に加え、更に隣のＬＥＤ素子５２の点灯状況も示されている。
【００５６】
次に、夕方時など周囲の明るさが中程度の場合、図３（ｃ１）のように、１ドット移動時間ｔにおいて、（ｎ−ｎ１）回表示データを点灯し、次のドットへ実際の点灯を移動する制御が行われる。すなわち、図３（ｂ１）のパルス回数ｎからｎ１回パルス信号が減らされている。
【００５７】
このとき、図３（ｃ２）のように、ＬＥＤ素子５０の点灯とＬＥＤ素子５１の点灯の連続性は図３（ｂ２）の場合に比べ減少する一方、表示品位の向上が達成され得る。
【００５８】
次に、夜間時など周囲が暗い場合、図３（ｄ１）のように、１ドット移動時間ｔにおいて、（ｎ−ｎ２）回表示データを点灯し、次のドットへ実際の点灯を移動する制御が行われる。すなわち、図３（ｂ１）のパルス回数ｎからｎ２回パルス信号が減らされている。尚、０＜ｎ１＜ｎ２の関係が成り立つ。
【００５９】
このとき、図３（ｄ２）のように、ＬＥＤ素子５０の点灯とＬＥＤ素子５１の点灯の連続性がほぼなくなり輝度は低下する。しかしながら周囲が暗い状況のため、画像のにじみはなくなり、くっきりとした画像が得られるため、表示品位の向上が達成され得る。
【００６０】
上述の制御を達成するための、表示回数判定部３６での処理手順を図４に示す。本例では、所定時間経過後（ステップＳ１）、表示回数判定部３６が少なくとも明るさデータＤ３を読み出し（ステップＳ２）、従前のＤ３と変更されたかどうかを判定する（ステップＳ３）。Ｄ３が変更されていなければ、更に所定時間経過を待つ。
【００６１】
Ｄ３が変更されている場合、その変更がワークメモリ８に格納された表示回数（表示回数データＤ１）を変更するに値するものどうか、すなわち、表示データ更新フラグ付与部３５が表示データフラグを更新する必要があるかどうかを判定し（ステップＳ４）、更新するに値しない場合は更に所定時間経過を待つ。更新するに値する場合は、表示データ更新フラグ付与部３５のフラグを更新する。これにて、ワークメモリ８に新しい表示回数データが格納され、図３に示した制御が行われる。更新するに値するとは、表示回数データＤ１を変更することにより、残像現象の制御を変更する必要があるほど、周囲の明るさの変化が大きい場合である。
【００６２】
上述したように本実施形態では、周囲の明るさに応じて、特定のドット（画素）に対するデータの書き込み回数（書き換え回数）が制御される。この書き込み回数は、ある一定周期下、すなわち画像の移動単位時間（移動速度＝スクロ−ルスピード）における、特定の一画像表示のために点灯される特定ドットへの書き込み回数である。
【００６３】
このことは、結局、表示回数制御部３１によって、周囲の明るさに基づき、ダイナミックスキャン方式下における所定点滅回数が制御されることを意味する。一定スクロールスピード下において、特定画素（ドット）への書き込み回数が変更されることは、ダイナミックスキャン方式下における所定点滅回数が変更されることにほかならないからである。
【００６４】
また、上述の実施形態では、設定スクロールスピードデータＤ２、明るさデータＤ３に応じて、表示回数データＤ１を変更した。しかしながら、表示回数データＤ１、明るさデータＤ３に応じて、設定スクロールスピードデータＤ２を変更することも可能である。
【００６５】
すなわち、図３の例において、ｎ回のパルス信号は変えず、スクロールスピードを変更するのである。すなわち、周囲が暗くなるにつれ、スクロールスピードを減少させることにより残像を減らし、表示品位を向上させる。単位時間があたりの提供情報量は減ってしまうものの、必須提供情報量の制約が厳しくない場合は、有効な制御方法である。
【００６６】
この実施形態の場合、表示データ更新フラグ付与部３５は、設定スクロールスピードデータＤ２を更新する。また、図４のステップＳ４において、ワークメモリ８に格納されたスクロールスピード（設定スクロールスピードデータＤ２）を変更するに値するものどうか、すなわち、表示データ更新フラグ付与部３５がスクロールスピードを更新する必要があるかどうかを判定し、更新するに値しない場合は更に所定時間経過を待つ。更新するに値する場合は、表示データ更新フラグ付与部３５のフラグを更新する。
【００６７】
上述の実施形態においては、表示回数制御部３１を、メイン制御部７内に設けたが、両者は独立して表示装置３０内に設けることができる。また、表示回数制御部３１の一部の構成又は機能のみをメイン制御部７内に設けてもよい。
【００６８】
また、本発明は、表示装置の制御方法及び制御プログラムとしても把握される。制御プログラムは、コンピュータ等により読み取り可能な記録媒体に格納され、コンピュータ等外部装置から、表示装置に提供され得る。記録媒体は、ＣＤ、ＭＤ、ハードディスクその他種々のものが用いられ、その種類は制限されない。また、制御プログラムは必ずしも記録媒体に格納される必要はなく、パケットデータ等の形式で表示装置に供給することが可能である。この場合、種々の有線、無線回線等を介し、遠隔地から明るさに応じた輝度の変更条件をさらに変更することができる。
【００６９】
上述の実施形態の各構成要素は自由に変更できるものである。任意のハードウェア、ソフトウェア、回路を各構成部分に用いることができる。例えば、外光センサーは種々の汎用の装置を用いることができ、その種類は限定されない。また、ＰＣ等の外部装置とのやりとりに用いられる外部Ｉ／Ｆも種々のものを用いることができる。
【００７０】
また、表示パネルは複数組み合わせることができ、表示パネル一枚あたりの画素数も限定されない。また、各画素もＬＥＤ素子のみならず他の発光電源を用いることは可能である。また、ＬＥＤ素子も単色発光のものや、複数色発光、ひいてはフルカラー発光のものを用いることが可能であり、その種類は限定されない。
【００７１】
上述したように、本発明の表示装置によれば、一画素の点滅回数（表示回数）を制御することにより、スクロール時の画素の見かけ上の点灯膨らみを制御することができる。周囲の明るさに応じた膨らみ制御もできるため、昼夜を問わず視認性の面で最適な表示をさせることができる。
【００７２】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００７３】
本発明は、周囲の明るさの変化にかかわらず、好ましい表示品位、視認性を有した表示装置を提供する。
【図面の簡単な説明】
【００７４】
【図１】本発明の表示装置の内部ブロック図。
【図２】本発明の表示装置の点滅回数制御（表示回数制御）にかかる説明図。
【図３】本発明による表示データの個数と、点灯ドットの見え方の関係をしめず概念図。
【図４】本発明の制御を示すフローチャート。
【図５】従来の表示装置の内部ブロック図。
【図６】従来の表示装置のスクロール時における画像の見え方の概念図。
【符号の説明】
【００７５】
１    表示装置
２    表示制御部
３    ダイナミックスキャン回路
４    表示ドライブ制御回路
５    ＬＥＤ素子
６    表示パネル
７    メイン制御部
８    ワークメモリ
９    表示用メモリ
１０  表示走査制御部
１１  表示データ制御部
１２  輝度制御部
１３  Ａ／Ｄ変換部
１４  外部Ｉ／Ｆ
１５  外光センサー
３０    表示装置
３１    表示回数制御部
３２    周囲の明るさデータテーブル
３３    表示データカウンタ
３４    設定スクロールスピードテーブル
３５    表示データ更新フラグ付与部
３６    表示回数判定部
【図１】
2006235231.tif 000003
【図２】
2006235231.tif 000004
【図３】
2006235231.tif 000005
【図４】
2006235231.tif 000006
【図５】
2006235231.tif 000007
【図６】
2006235231.tif 000008